(57)【要約】      （修正有）【課題】組み立てた際にはフックが支柱の外面に加圧状態で当接して、フックがフランジ孔から抜け出すことがなく、作業の安全性を確保できる先行手摺りを提供する。【解決手段】先行手摺りの水平部は、斜材６の上方の先端部６１或いは斜材６に固着された係止フック７に回動可能に軸支され、組み立て時には互いにＸ字状に交叉する状態で、斜材６がフランジの孔に挿入され所定の角度で架設され固定する際には、係止フック７は内側に設けた回動部７３がフランジの孔の外側壁２２を中心に回動するとともに、該係止フック７の外周部７４の適所には斜材６の回動に伴って支柱外周を加圧状態で押圧する当接部７５を設け、先行手摺りを組み上げた状態では、両斜材６の係止フック７の前記当接部７５が前記フランジの孔の外側壁２２に対して突っ張るように支柱外周に加圧状態に維持する先行手摺り。【選択図】図４
2018003332.tif 000002
【特許請求の範囲】
【請求項１】
順次継ぎ足しが可能で、上下方向に所定の間隔で孔付きフランジを固定した支柱を足場板の架設間隔で立設し、隣り合う支柱間に足場板を架設して足場を組み立てる際に、支柱の孔付きフランジを利用して、既設の下段側足場板から新設する上段側足場板の先行手摺りとして支柱間に取り付ける先行手摺りにおいて、
該先行手摺りの斜材は、水平材の両端部に回動可能に軸支され、組み立て時には互いにＸ字状に交叉する状態となり、
前記水平材は前記斜材の先端部或いは斜材に固着された係止フックに回動可能に軸支されるともに、該両斜材の先端部に固着された鈎型の前記係止フックは先端は斜材が垂直状態にある場合に前記フランジの孔に上下方向に挿脱自在な形状の挿入部が設けられ、
該斜材が該フランジの孔に挿入され所定の角度で架設され固定する際には、該係止フックは内側に設けた回動部がフランジの孔の外側壁を中心に回動するとともに、該係止フックの外周部の適所には斜材の回動に伴って支柱外周を加圧状態で押圧する当接部を設け、
先行手摺りを組み上げた状態では、両斜材の係止フックの前記当接部が前記フランジの孔の外側壁い対して突っ張るように支柱外周に加圧状態に維持することを特徴とする先行手摺り。
【請求項２】
前記当接部は、前記回動部を中心とする偏心カムを形成し、所定の角度の範囲で斜材が前記支柱に強固に当接するようにしたことを特徴とする請求項１に記載の先行手摺り。
【請求項３】
前記所定の角度の範囲は、斜材の水平に対して２０度から４５度の範囲としたことを特徴とする請求項２に記載の先行手摺り。
【発明の詳細な説明】
【技術分野】
【０００１】
本発明は、建設作業現場において、順次継ぎ足しが可能で、上下方向に所定間隔おきに孔付きフランジを固定した支柱を足場板の架設間隔で立設し、隣り合う支柱間に足場板を架設して足場を組み立てる際に、支柱の孔付きフランジを利用して、既設の下段側足場板から、新設する上段側足場板の先行手摺りとして支柱間に取り付ける先行手摺りに関するものである。
【背景技術】
【０００２】
従来の先行手摺りとして、特許文献１の特開2013-104295号公報、特許文献２の特開2009-191517号公報等がが開示されているが、これらの手摺りは、水平材と、水平材の両端部に夫々の一端部が回転可能に軸支され、互いに交差する一対の斜材とからなり、水平材の両端部に夫々支柱のフランジの孔に係止可能なフックを設け、各斜材の他端部に、支柱のフランジに固定可能な固定金具を備え、斜材をＸ字状の交叉状しているものがある。
【０００３】
これらの先行手摺りは、運搬や施工組み立てる直前は、１対の斜材と水平材とを折り畳んで場所を取らないようにし、組み立てに際し、既に架設した下段側足場板上において、作業者が一方の斜材を立ち上げて、水平材の一端部にあるフックを、これから新たに架設される上段側足場板の架設位置にある一方の支柱のフランジの孔に係止した後、他方の斜材を立ち上げて、水平材の他端部にあるフックを他方の支柱のフランジの孔に係止し、その後に両斜材を交差させて、両斜材の夫々他端部の固定金具を両支柱の所要位置にあるフランジの孔に固定するようにしている。
【先行技術文献】
【特許文献】
【０００４】
【特許文献１】特開２０１３−１０４２９５号公報、
【特許文献２】特開２００９−１９１５１７号公報
【発明の概要】
【発明が解決しようとする課題】
【０００５】
上記の先行手摺りは、水平材或いは斜材が支柱との間に多少のガタを有しており、このため水平材或いは斜材が強固に組み込まれないことが多く、場合によっては、水平材に下向きの衝撃荷重が負荷されると、水平材が撓んで水平材の端部が水平方向に変位して持ち上げられることによって、水平材の端部にあるフックの係止部分がフランジの孔から抜け出て、安全手摺りが支柱から外れるおそれもあった。
【０００６】
本発明は、上記の問題点に鑑みてなされたもので、組み立てた際にはフックが支柱の外面に加圧状態で当接して、フックがフランジ孔から抜け出すことがなく、作業の安全性を確保できる先行手摺りを提供することを目的としている。
【課題を解決するための手段】
【０００７】
上記課題を解決するために、請求項１の発明は、順次継ぎ足しが可能で、上下方向に所定の間隔で孔付きフランジを固定した支柱を足場板の架設間隔で立設し、隣り合う支柱間に足場板を架設して足場を組み立てる際に、支柱の孔付きフランジを利用して、既設の下段側足場板から新設する上段側足場板の先行手摺りとして支柱間に取り付ける先行手摺りにおいて、該先行手摺りの斜材は、水平材の両端部に回動可能に軸支され、組み立て時には互いにＸ字状に交叉する状態となり、前記水平材は前記斜材の先端部或いは斜材に固着された係止フックに回動可能に軸支されるともに、該両斜材の先端部に固着された鈎型の前記係止フックは先端は斜材が垂直状態にある場合に前記フランジの孔に上下方向に挿脱自在な形状の挿入部が設けられ、該斜材が該フランジの孔に挿入され所定の角度で架設され固定する際には、該係止フックは内側に設けた回動部がフランジの孔の外側壁を中心に回動するとともに、該係止フックの外周部の適所には斜材の回動に伴って支柱外周を加圧状態で押圧する当接部を設け、先行手摺りを組み上げた状態では、両斜材の係止フックの前記当接部が前記フランジの孔の外側壁い対して突っ張るように支柱外周に加圧状態に維持することを特徴とする先行手摺りである。
【０００８】
請求項２の発明は、求項１に記載の先行手摺りは、前記当接部の外周は、前記回動部を中心とする偏心カムを形成し、所定の角度の範囲で斜材が前記支柱に当接するようにしたことを特徴とする。
【発明の効果】
【０００９】
請求項１の先行手摺りの発明によれば、斜材の先端に設けた鈎型の係止フックが斜材がほぼ垂直状態にある場合にフランジの孔に上下方向に挿脱自在な挿入部を設けているので、足場板に載った作業者が容易に上方位置のフランジの孔に鈎型の係止フックを簡単に係止でき、一対の斜材を垂直状態が所定の角度に組み立てる際には、係止フックの内側の回動部が、フランジの孔の外側壁を中心に回動するので、所定の角度範囲では、係止フックの外周部に設けた当接面が加圧状態で支柱外周に当接するようにすることができる。
したがって、水平材と、水平材の両端部に夫々の一端部が斜材の先端部先端部或いは斜材に固着された係止フックに回転可能に軸支された先行手摺りが、組み上げた際には連結した水平材と互いにＸ字状に交叉する一対の斜材とからな先行手摺りの固定が強固になる。
【００１０】
請求項２、３の先行手摺りの発明によれば、当接部が回動部を中心とする偏心カムを形成し、所定の角度の範囲で斜材が前記支柱に強固に当接するようにしたので、複数の角度の斜材に対応することができ、特に、需要の多い斜材が水平に対して２０度から４５度の範囲で強固に組み立てられる先行手摺りに同一の鈎型の係止フックで対応できる。
【図面の簡単な説明】
【００１１】
【図１】本発明の先行手摺りを支柱の孔付きフランジに組み立てる手順を説明する説明図、
【図２】図１(ａ)は本発明の実施例の先行手摺りの全体図、図１(ｂ)は折り畳んだ状態の全体図、
【図３】実施例の斜材の先端に取り付ける鈎型の係止フックの拡大図、
【図４】図３の鈎型の係止フックをフランジの孔に組み込む手順を説明する説明図、
【図５】図５(ａ) は、図４の鈎型の係止フックが支柱に組み込まれ、水平材が水平状態になった側面図、図５(ｂ)はその上方からの平面図、
【図６】水平材の別の実施例の側面図、
【図７】斜材の下端部が、フランジの孔に組み込む手順を説明する説明図、
【図８】図８(ａ)は、図７(ａ)の楔部材を組み込む前の固着具の上方からの平面図、図８(ｂ)は楔部材を組み込み固着具をフランジの孔に組み込む斜材６を固定した状態の上方から平面図である。
【発明を実施するための形態】
【００１２】
以下に本発明の好適な実施例を図面に沿って説明する。
本先行手摺りを使用する前提条件は、図１に示すように、支柱１、１’が順次継ぎ足しが可能で、この支柱１、１’には上下方向に所定の間隔で孔付きフランジ２(図５(e)を参照)を固定され、これらの支柱１、１は水平方向に足場板の架設間隔で立設し、隣り合う支柱１間の所定の高さ位置には足場板３を掛け渡す。
この足場板３を架設して足場を組み立てる際に、支柱１の孔付きフランジ２を利用して、既設の下段側の足場板３から新設する上段側の足場板の先行手摺りとして支柱間に取り付ける手摺りを取り付け組み立てる。
【００１３】
この取り付けて組み立てる手順を図１．２に沿って説明する。
図２(ａ)に示すように、本実施例の先行手摺り４は、水平材５と一対の斜材６から構成され、水平材５の両端部５１は、夫々の斜材６の上方の先端部６１、或いは、斜材６に先端部６１に固着された係止フック７に回動孔７６(実施例１では係止フック側)に回転可能に軸支され、この斜材６の先端部６に固着された鈎型の係止フック７は孔付きフランジ２に嵌合するものであり、斜材６の下方の他端部６２には下方の孔付きフランジ２に固定する固着具８が設けられている。
図２(ａ)に示すように、組み立てる際には互いにＸ字状に交叉するようにし、運搬や足場への移動の際は、水平材の両端部５１の近傍において、夫々の先端部５１が回動孔５１２で回転可能に軸支されているので、図２(ｂ)に示すように折り畳むことができる。
【００１４】
ここで、図１(ａ）(ｂ)(ｃ)で、先行手摺り４を支柱１の孔付きフランジ２に組み立てる手順を説明する。
先ず、図１(ａ）に示すように、作業員は既設の下段側の足場板３に先行手摺り４を引き上げ、円印Ａの箇所に、一方の斜材６を立て斜材６の先端の係止フック７を、一方の支柱１における孔付きフランジ２の支柱１の中心から外周に延びる９０度毎に設けた４つの矩形の孔２１の１つに係止する。
次に、図１(ｂ）円印Ｂの箇所に示すように、他方の斜材６或いは係止フックの回動孔７６に係止された水平材３を水平にしつつ、ほぼ垂直に立てて斜材６の先端に設けられた係止フック７を、他方の支柱１の孔付きフランジ２における矩形の孔２１に係止する。その後、図１(ｂ）円印Ｃの箇所に示すように、一方の斜材６における下方の先端部６２には固着具８を固着し、この固着具８を用いて一方の支柱１の下方にある孔付きフランジ２の矩形の孔２１を用いて固着具８で斜材６を固定する。
最後に、図１(ｃ）の円印Ｄの箇所に示すように、他方の斜材６おける下方の他端部６２の固着具８を用いて、一方の支柱１の下方における孔付きフランジ２の矩形の孔２１を用いて固着具８を他方の斜材６を固定して、この先行手摺りの組み立ては終了する。
【００１５】
以上が、本発明における先行手摺りの組み立ての全体の概要であるが、次に、本発明の特徴の１つである斜材の先端に取り付けた鈎型の係止フック７について、図３〜５に沿って詳しく説明する。
図３は、係止フック７の拡大図であるが、大凡、鈎型をしており、一方の斜材６をほぼ垂直に立てたとき、フランジ２の矩形の孔２１に上下方向に挿脱自在な形状の挿入部７１が設けられ、斜材６が該フランジの孔２１に挿入され所定の角度で架設され固定する際には、係止フック７はその内周部７２の内側に設けた回動部７３がフランジ２の孔２１の外側壁２２に嵌合しつつ外周壁２２を中心に回動する。
また、係止フック７１の外周部７３の適所には斜材６の回動に伴って支柱外周１１を加圧状態で押圧する当接部７５を設け、この当接部７５が回動部７５を中心とする偏心カム７５１を形成し、この偏心カム７５１は回動部７５を中心として半径Ｒである角度範囲Ｙは当接範囲である。この所定の角度Ｙの範囲で斜材６が支柱外周１１に強固に当接するように設計されている。
【００１６】
本実施例では、所定の角度の範囲は、特に、需要の多い斜材６が水平に対して２０度から４５度の範囲で強固に組み立てられるように偏心カム７５１の形状を設計している。本実施例の場合は図３のＹ範囲は、回動部７３からの距離Ｒがほぼ同じであるので、当接力もほぼ同じ状態が維持でき、斜材６の水平対する所定の角度範囲に合わせて係止フック７１を斜材６に固定すれば良い。
また、一対の斜材６における上方の先端部６１には係止フック７が固着され、その係止フック７の適所には回動孔７６が設けられ、水平材５の両端部５１の回動孔５１２と係止フック７の回動孔７６とが軸材４１によって、夫々の端部が回動可能に軸支されて、組み立て時には互いにＸ字状に交叉する状態となる。
また、図３に示すように、係止フック７の回動孔７６の位置は回動部７３からから離あり、斜材６を所定の角度に固定した際に、回動部７３がフランジ２の水平位置よりも高い位置に設ければ、水平材の設置位置を規則等に合致した位置することができる。
なお、本実施例１では斜材側の回動孔７６を係止フック７に設けたが、図６に示すように、別の実施例として、斜材６の先端部６１に設けて良いが、この場合には水平材５の水平位置をフランジ２の位置よりも高くする必要があるので、水平材５の両端部を上方に挙げるような台形にする必要がある。
【００１７】
次に、この鈎型の係止フック７と孔付きフランジ２との嵌合状態を図４も加えて説明する。
図４(ａ)は、一方の斜材６をほぼ垂直に立てると、係止フック７の挿入部７１の鋭角を形成する先端部分７１１もほぼ垂直状態になるように設けてあるので、図４(ｂ)に示すように、孔付きフランジ２の矩形の孔２１(図５(ｂ)参照)に上方向から余裕をもって挿入可能である。解体時にはこの逆の動作をすれば斜材６はフランジ２の矩形の孔２１から脱離可能である。
次に、図４(ｃ)に示すように、斜材６が該フランジの孔に挿入され所定の角度で架設され固定する際には、係止フック７は内周部７２の内側に設けた回動部７３がフランジ２の孔２１の外側壁２２を中心に回動することにより、係止フック７の外周部７４の適所には斜材６の回動に伴って当接部７５が支柱外周１１を加圧状態で押圧するので、強固に組み合わされる。
この組み立てが完了した状態が、図５(ａ)の側面図、図５(ｂ)の上からの平面図である。以上の説明は、前述した図１円印Ａ,Ｂの説明を、更に詳しく説明したものである。
【００１８】
次に、上述した状態から斜材６が上方に脱離しないように、斜材６の下端を支柱１１に固着して、先行手摺り４が完全に脱離しないようする必要があるが、このことを説明する。
図１円印Ｃ，Ｄについて、図７、８に沿って、斜材６の下端と固着具８と孔付きフランジ２との関係ついて説明する。
先ず、図１円印Ｃについての作業であるが、図７(ａ)、及び図８(ａ)においては、固着具８の楔部材８１が組み込まれていない状態である。固着具８は図７(ａ)に示すように中空で、図７(ａ)に示すように、側部８２の上下方向のほぼ中央には、フランジ２が嵌合する切欠部８３が設けられている。図８(ａ)に示すように中空状態には、フランジ２の外周片２３は切欠部８３に挿入状態にあるが、この外周片２３が外れないように、楔部材８１を打ち込む構成である。
【００１９】
この楔部材８１は、二股形状で一方は楔８１１を形成し、他方はガイド部８１２を形成するとともにガイド部８１２にはガイド長孔８１１を設けて、図７(ｂ)、(ｃ)に示すように、この案内長孔８１１に固着具８の側部８２のピン打込孔８２１からピン８４を打ち込んで、楔部材８１をガイドするとともに、固着具８を外して解体しても、固着具８と楔部材８１とが離反しないようにしてあり、次の使用に備えるようになっている。
このように、図７(ｂ)、及び、図８(ａ)においては、斜材６の下方の先端部６２は、支柱１の孔付きフランジ２に固着具８によって楔部材８１を外さない限り、強固に孔付きフランジ２に固着される。
最後に、図１円印Ｄについての作業を、上述した図１円印Ｃについての作業と同様に、他方の斜材６における下方の先端部６２を他方の支柱１の孔付きフランジ２に固着具８によって固着すれば、先行手摺りの取り付け作業は完了する。
【００２０】
上述したように、本発明の実施例の先行手摺り４によれば、斜材６の先端部６１に設けた鈎型の係止フック７が斜材６がほぼ垂直状態にある場合にフランジ２の矩形の孔２１に上下方向に挿脱自在な挿入部７１を設けているのでで、足場板３に載った作業者が容易に上方位置のフランジ２における矩形の孔２に鈎型の係止フック７を簡単に係止でき、一対の斜材６を垂直状態が所定の角度に組み立てる際には、係止フック７の内側の回動部７３が、フランジ２の孔２１の外側壁７４を中心に回動するので、所定の角度範囲では、係止フック７の外周部に設けた当接面が加圧状態で支柱外周１１に当接するようにすることができる。
【００２１】
したがって、水平材５と、水平材５の両端部５１に夫々の一端部が回転可能に軸支された先行手摺り４が、組み上げた際には連結した水平材５と互いにＸ字状に交叉する一対の斜材６とからな先行手摺り４の固定が強固になる。
また、当接部７５が回動部７３を中心とする偏心カムを形成し、所定の角度の範囲で斜材が支柱１に強固に当接するようにしたので、複数の角度の斜材６に対応することができ、特に、需要の多い斜材が水平に対して２０度から４５度の範囲で強固に組み立てられる先行手摺り４に同一の鈎型の係止フック７で対応できる。
なお、本発明の特徴を損なうものでなければ、上記の実施例に限定されるものでないことは勿論である。
【符号の説明】
【００２２】
１・・支柱、１１・・支柱外周、
２・・・孔付きフランジ、２１・・・矩形の孔、２２・・・外側壁、
２３・・外周片、
３・・・足場板
４・・先行手摺り、４１・・軸材
５・・水平材、５１・・先端部、５１２・・回動孔
６・・斜材、６１・・上方の先端部、６２・・下方の先端部、
７・・係止フック、７１・・・挿入部、７２・・内周部、７３・・回動部、
７４・・外周部、７５・・当接部、７５１・・偏心カム、７６・・回動孔
８・・固着具、８１・・楔部材、８１１・・楔、８１２・・ガイド部、
８１３・・ガイド長孔、８２・・側部、８２１・・ピン打込孔、
８３・・切欠き部、８４・・ピン、
【図１】
2018003332.tif 000003
【図２】
2018003332.tif 000004
【図３】
2018003332.tif 000005
【図４】
2018003332.tif 000006
【図５】
2018003332.tif 000007
【図６】
2018003332.tif 000008
【図７】
2018003332.tif 000009
【図８】
2018003332.tif 000010